(57)【要約】【課題】  接触と非接触のデュアルインターフェースＳＩＭを装着でき、液晶デ ィスプレイにバーコードを表示可能なＳＩＭリーダライタを提供する。【解決手段】  ＳＩＭカード２に記録されたチケット情報は、ＵＳＢコネクタ２０を介した接触方式で、あるいは、アンテナコイルを介した非接触方式でデータ読取り可能となっている。さらに、ＳＩＭカード２に記録されたチケット情報を二次元バーコードに変換して液晶ディスプレイ４に表示させ、光学的に読取り可能とさせる。液晶ディスプレイ４に表示された二次元バーコードは、所定時間経過後消去される。【選択図】  図１０
2006085391.tif 000002
【特許請求の範囲】
【請求項１】
ＵＳＢ用コネクタを有し、ＩＳＯ７８１６−２、ＩＳＯ７８１６−３で規定する接触、ＩＳＯ１４４４３で規定する非接触インターフェースを備えるＳＩＭを着脱可能に装着するＳＩＭリーダライタであって、
当該ＳＩＭリーダライタは、ＳＩＭに記録されたチケット情報をバーコードに変換する機能と、当該バーコードを液晶ディスプレイに表示する機能を備えると共に、所定時間の経過後は、液晶ディスプレイからバーコードを消去する機能と、
を有することを特徴とするＳＩＭリーダライタ。
【請求項２】
前記チケット情報として、ＩＳＯ７８１６−２、ＩＳＯ７８１６−３で規定する接触、ＩＳＯ１４４４３で規定する非接触インターフェースで読取るためのデータ読取り用チケット情報と、バーコードリーダにより読み取るための光学的読取り用チケット情報の２種類のチケット情報がＳＩＭに記録されており、前記光学的読取り用チケット情報をバーコードに変換するものであることを特徴とする請求項１に記載のＳＩＭリーダライタ。
【請求項３】
前記バーコードは、二次元バーコードであることを特徴とする請求項１または請求項２に記載のＳＩＭリーダライタ。
【発明の詳細な説明】
【技術分野】
【０００１】
本発明は、ＵＳＢ用コネクタを有し、接触と非接触のインターフェースを備えるＳＩＭを着脱可能に装着し、ＳＩＭが保持するデータ内容を液晶ディスプレイに表示可能なＳＩＭリーダライタに関する。このようなＳＩＭリーダライタは、第１にパーソナルコンピュータ（ＰＣ）等 のアクセス権限認証用途に使用でき、第２に施設、交通機関等の非接触ゲート管 理や非接触ショッピング等の決済取引に適用でき、第３に液晶ディスプレイに各 種情報を表示させることができるので、そのような情報表示が求められる媒体、例えば、各種取引の記録表示、定期券や乗車券、各種施設入場券等に好適に用い得るものである。従って、本発明の関連する技術分野は、ＳＩＭリーダライタやＳＩＭの製造・ 利用の分野、あるいは定期券や乗車券、入場券の発券や取り扱い、または利用分野に関する。
【背景技術】
【０００２】
近年、ＩＳＯ７８１６−２、ＩＳＯ７８１６−３で規定される接触と、ＵＳＢ（ユニバーサル・シリアル・バス）接触とのデュアルインターフェースのＩＣカードが開発されている（特許文献１）。ＵＳＢインターフェースを持つＩＣカードは、パソコンなどのＵＳＢ対応の機器との接続を容易にし、社員証カードなどでネットワークアクセス用ＩＤカード として注目されはじめている。
【０００３】
一方、ｅ−Ｔｏｋｅｎと呼ばれるＩＣチップを内蔵したネットワークアクセス 用ＩＤモジュールが使用されている。ＵＳＢ接触インターフェースを持ち、パソ コン（ＰＣ）のＵＳＢコネクタに差し込みプラグアンドプレイ、すなわち煩わしい操作を必要とせずに、ネットワークセキュリティを確保したシステムに使用されている。ドングルと呼ばれることもあり、携帯電話のストラップやキーホルダーとともに持ち歩ける利便性がある。
【０００４】
他方、携帯電話には小型のＳＩＭやＵＩＭ、ＵＳＩＭカードと呼ばれるセキュリティＩＤモジュールが組み込まれてきている。日本でも最新の携帯電話には組 み込まれて既に実用化されている。ＵＩＭ（User Identity Module) は、携帯電話会社が発行する契約者情報を記 録した小型のＩＣカードであって、携帯電話機に組み込んで利用者の識別に使用する。
【０００５】
これは同様の機能を持つＳＩＭ(Subscriber Identity Module)から機能拡張が行われたもので、契約者情報以外に電話帳などのプライベート情報やクレジット 決済用の個人識別情報などを暗号化して登録することが可能となっている。ＳＩＭをベースにしていることからＵＳＩＭ（Universal SIM)と呼ばれることもある。ＳＩＭはＧＳＭ携帯電話サービスの利用を目的とするが、ＵＩＭは、例えば、アメリカのｃｄｍａ２０００携帯電話機に差し込んで国際ローミングサー ビスを受けるといった使用方法が考えられている。いずれにしても、このようなＳＩＭまたはＵＩＭは既存技術が有るので製造や発行処理が容易である。
【０００６】
前述のキーホルダー型ＩＤモジュールや特許文献１の携帯物品は、非接触通信機能を持たないので、改札ゲートやドアゲートを非接触で開閉する等の用途に兼用できないという使い勝手の悪さがある。そこで、本願出願人は、先に、ＩＳＯ７８１６で規定される接触と、ＩＳＯ１４４４３非接触のインターフェースを備えるＵＳＢコネクタ付きＳＩＭホルダーについて、特許文献２において提案している。また、ＩＳＯ７８１６で規定される接触と、ＩＳＯ１４４４３非接触、ＵＳＢ接触の３種のインターフェースを備えるＩＣモジュール、ＳＩＭホルダー、ＳＩＭ等について、特許文献３、４において提案している。
【０００７】
【特許文献１】特表２００２−５２５７２０号公報
【特許文献２】特開２００４−１１８７７１号公報
【特許文献３】特開２００４−１３３８４３号公報
【特許文献４】特願２００３−４６６５７号
【発明の開示】
【発明が解決しようとする課題】
【０００８】
上記特許文献２、特許文献３に提案のＳＩＭホルダーは、表示部を有しないのでＳＩＭが保持する情報内容を可視的に表示できない問題がある。また、上記特許文献４に提案のＳＩＭリーダライタは、データの読取りがＩＣチップからのい読取りに限定されてしまうという問題がある。しかし、ＩＣチップからデータを読み取る装置は、未だ普及率が高くないのが現状である。一方、バーコードリーダ等の光学的読取り装置は、普及率が高く、これを利用したいという要望がある。
【０００９】
そこで、本発明は、チケット情報等をディスプレイに光学的に機械読取可能な状態で表示することが可能なＳＩＭリーダライタを提供することを課題とする。
【課題を解決するための手段】
【００１０】
上記課題を解決するため、本発明では、ＳＩＭリーダライタを、ＵＳＢ用コネクタを有し、ＩＳＯ７８１６−２、ＩＳＯ７８１６−３で規定する接触、ＩＳＯ１４４４３で規定する非接触インターフェースを備えるＳＩＭを着脱可能に装着するＳＩＭリーダライタであって、当該ＳＩＭリーダライタは、ＳＩＭに記録されたチケット情報をバーコードに変換する機能と、当該バーコードを液晶ディスプレイに表示する機能を備えると共に、所定時間の経過後は、液晶ディスプレイからバーコードを消去する機能を有する構成としたことを特徴とする。
【発明の効果】
【００１１】
本発明によれば、接触、非接触インターフェースを備えたＳＩＭリーダライタにおいて、ＳＩＭに記録されたチケット情報をバーコードに変換して、ディスプレイに表示するようにしたので、既存のバーコードリーダを利用して読み取りを行うことが可能となり、接触・非接触ＩＣカードリーダライタ以外でも読取りできるため、情報の読取り機会が増大する。また、バーコードを所定時間経過後に消去するようにしたので、その後に不正に読取られることを防止することができる。
【発明を実施するための最良の形態】
【００１２】
以下、本発明の好適な実施形態について、図面を参照して詳細に説明する。
（液晶ディスプレイ付きＳＩＭリーダライタ）
まず、本発明の前提となる液晶ディスプレイ付きＳＩＭリーダライタについて説明する。図１は、液晶ディスプレイ付きＳＩＭリーダライタのブロック構成を示す図、である。図２は、液晶ディスプレイ付きＳＩＭリーダライタの外形を示す図、図３〜図６は、ＳＩＭリーダライタ内の構成を示す図、図７は、ＳＩＭを示す平面図、である。
【００１３】
図１のように、液晶ディスプレイ付きＳＩＭリーダライタ（以下、「ＳＩＭリーダライタ」と略称する。）１は、ＳＩＭ２を着脱可能に装着し、制御用ＩＣチップ３を有している。制御用ＩＣチップ３は、ＣＰＵとメモリを有すると共に、ＩＳＯ７８１６ドライバ３１と液晶ディスプレイ駆動用の液晶ドライバ３２、および赤外通信用の赤外線ドライバ３３を有している。ただし、これらの全てが一体にＩＣチップ化されているものには限られない。ＳＩＭ２の信号は、リーダライタ（Ｒ／Ｗ）端子板１２とリレー８を介して制御用ＩＣチップ３に接続し、ＵＳＢポート２５からの信号は、ＵＳＢ／ＩＳＯ７８１６変換ＩＣ１０とリレー８を介して制御用ＩＣチップ３に接続する。
【００１４】
リーダライタ端子板１２は、ＳＩＭ２が備える接触端子板の８端子と接続する 構造を有している。接触端子の場合、予備端子となっているＣ４とＣ８端子が、 ＳＩＭリーダライタのケーシング内のアンテナコイル１１に接続するようにされている。アンテナコイル１１は、ＩＳＯ１４４４３ＴｙｐｅＡ，Ｂに準拠した非接触通信を行うためのものである。ＳＩＭリーダライタ１は、液晶ディスプレイ４や制御用ＩＣチップ３等の駆動電源としてバッテリ（二次電池）７を備えることが好ましい。バッテリ７には薄 型のリチウムイオン電池を好ましく使用できる。スイッチボタン４１は電源のオン−オフフ、スイッチボタン４２は、表示選択や動作決定のために用いられる。
【００１５】
ＳＩＭリーダライタ１は、ＵＳＢコネクタがパーソナルコンピュータ（ＰＣ）のＵＳＢポート２５に挿入されている場合は、バッテリ７は接続されないようになっている。したがって、この場合は、スイッチボタン４１をオンしても制御用 ＩＣチップ３のＣＰＵは動作せず液晶ディスプレイ４も表示されない。液晶ディスプレイ４は、ＰＣに接続していない場合であって、スイッチボタン４１をオンした場合にのみ表示される。
【００１６】
この場合（電源ボタンオン時）には、リレー８はＣＰＵとリーダライタ端子板 １２を接続する。ＵＳＢコネクタがＵＳＢポートに挿入されているＵＳＢ駆動時は、リレー８は制御用ＩＣチップ３のＣＰＵとＵＳＢポート２５を接続する。また、アンテナコイル１１によりＩＳＯ１４４４３通信中に電源ボタンがオフ されたり、ＵＳＢコネクタがＵＳＢポート２５に挿入された場合には、ハードウェアリセットがかかり、ＳＩＭはＡＴＲ（answer to reset ）を返す。すなわち 、非接触通信は強制的に中断されるようになっている。
【００１７】
ＳＩＭリーダライタ１は、赤外線通信手段を備えることができる。赤外線通信手段は、制御ＩＣチップ３の赤外線ドライバ３３により制御され、赤外線受発信部５は、赤外線発光部と受光部、およびフィルタ等を備え、これと同様な構成で受発信部を備える外部電子機器と交信してデータの送受信をすることができる。この場合、ＳＩＭ２の情報は制御用ＩＣチップ３により処理され、赤外線受発信部５の発光部により光電変換されて外部電子機器に送信される。他方、外部電子機器からの信号は受光部が光電変換し、制御用ＩＣチップ３を経てＳＩＭ２に送信される。これにより、ＩＳＯ１４４４３非接触よりも長い近距離間における非接触通信が可能となる。
【００１８】
ＳＩＭリーダライタはどのような外形であっても構わないが、携帯し易い形状としては、図２のように、ＵＳＢコネクタ２０の挿入方向とＳＩＭ２の挿入方向が直線状にあるのが好ましいと考えられる。図２（Ａ）のように、表面に液晶ディスプレイ４を有し、左端部にはＵＳＢコ ネクタ２０を有し、右端部にはＳＩＭ２の挿入口１５を有している。挿入口１５の手前部分に液晶ディスプレイ４よりは一段低くなった段部１６を設けている。ＳＩＭ挿入の際、この段部１６にＳＩＭ２をあてがえばＳＩＭ２の挿入を容易にできる。液晶ディスプレイ４と挿入口１５の間にスイッチボタン４１，４２が設けられている。符号１４は電源用のＬＥＤ表示である。ＳＩＭリーダライタ１を携帯する際は、キー取り付け穴１７に、ストラップ等を通せば、ＳＩＭ２の不用意な脱落を防止できる。
【００１９】
液晶ディスプレイ４は、ＳＩＭ２のＩＣチップが保持する情報をスイッチボタ ン４２の操作により順次表示するようにされている。表示内容は、ＳＩＭの搭載するアプリケーションソフトによって異なるが、例えば、電子マネー２０１の場合は残高、支払い明細等であり、電子チケット２０２の場合は、利用日付けや会場、開演時間、指定座席等の表示であり、定期券用途の場合は、通用区間や通用期間、使用者等の表示となる。このようにＳＩＭ２は複数アプリケーションを搭載できることが好ましい。液晶ディスプレイ４には、ドットマトリクスタイプの反射型カラー液晶表示を採用でき、図形表示も可能である。液晶ディスプレイ４の厚みは、１．０ｍｍ〜１．５ｍｍ程度となる。表示面積は、幅２０〜３０ｍｍから長さ５０〜７０ｍｍ 程度のものにできる。なお、液晶ディスプレイに限らず、有機ＥＬや電子ペーパーなど、薄型で消費電力の少ない表示装置を代替して利用することができる。
【００２０】
図２（Ｂ）は、図２（Ａ）のＡ−Ａ線断面を示す。この場合は、ＳＩＭ２が装着されている状態を示している。ＳＩＭ２と液晶ディスプレイ４との間には、リーダライタ（Ｒ／Ｗ）端子板１２があって、ＳＩＭ２の接触端子板２２との接触が確保される。リーダライタ端子板１２は液晶基板下の全面に設けて配線基板を兼ねるようにしても良い。ＳＩＭリーダライタ１は、液晶ディスプレイ４やリーダライタ端子板１２を備える上蓋部１８と下側ケース部１９を分割して成型し、配線基板等を組み込んだ後に組み合わせて一体にすることが多い。図示してないが、アンテナコイル１１は前記配線基板の周囲に配線したり、上蓋部１８や下側ケース部１９の内面に配 線させることができる。
【００２１】
ＳＩＭリーダライタ１の裏面には、特別な部品を設けないので、図示していな いが、電源充電のための機構部等を設けることができる。また、下側ケース部１９を透明樹脂で成型すれば、後述するようにＳＩＭに設けた顔写真やネームプリントを透視することができる。
【００２２】
図３〜図６は、ＳＩＭリーダライタ内の構成を示す図であって、液晶ディスプレイ４の背面において、リーダライタ端子板１２とアンテナコイル１１の関係を示している。図３はＳＩＭ２の接触端子板２２面側斜視図、図４は同平面図、図５はＳＩＭ２の接触端子板とは反対面側斜視図、図６は同平面図、である。図３、図４のように、アンテナコイル１１はケーシングの上蓋部１８の内周等 に沿うように配線され、その末端はリーダライタ端子板１２のＣ４とＣ８端子に接続するようにされている。ＳＩＭ２は、図３の右側から挿入してリーダライタ端子板１２の下側に入って固定されるようにされている。
【００２３】
図３、図４において、ＵＳＢコネクタ２０への配線は省略されているが、Ｃ５（ＧＮＤ）、Ｃ１（Ｖｃｃ）、Ｃ２（ＲＳＴ）、Ｃ７（Ｉ／Ｏ）が、ＵＳＢ／ＩＳＯ７８１６変換ＩＣ１０に導かれることになる。前述した特許文献１には、ＵＳＢ機能を有するＩＣチップが記載され、ＵＳＢ（Ｄ＋）がＣ４端子を、ＵＳＢ（Ｄ−）がＣ８端子を利用する例が記載されているが、本発明のＳＩＭリーダライタ１は、ＵＳＢ／ＩＳＯ７８１６変換ＩＣ１０を使用するので、従来機能のデュアルＩＣモジュールを使用できる。また、アンテナコイル１１の端子には、Ｃ４とＣ８端子を利用するので、８端子以上の特設端子板を有する端子をＳＩＭ２やリーダライタに使用しない利点がある。
【００２４】
図５のように、リーダライタ端子板１２の背面には８個のコンタクトピン１３が突出していて、ＳＩＭ２の接触端子板２２と接触するようにされている。図６は、ＳＩＭ２をＳＩＭリーダライタ１に装着した後の状態である。ＳＩＭ２は、端子板１２の背面であって、下側ケース１９に沿って挿入されるので、下側ケース１９が透明樹脂であれば、ＳＩＭ２の顔写真加工２７等を視認することができる。
【００２５】
前記のように、ＰＣに接続している際は、非接触通信機能は遮断されるが、非接続時には、非接触インターフェースを使いコンビニやレストランでの支払いや交通機関の改札や施設の入退室管理に利用することができる。赤外線通信手段を備える場合は、ＩＳＯ１４４４３による非接触通信よりも長い距離での通信が可能となる。一方、ＰＣに直接接続でき、周辺機器として別途リーダライタを必要としない利点がある。
【００２６】
図７は、本発明に使用するＳＩＭを示す平面図である。図７（Ａ）は接触端子板２２を有する表面側、図７（Ｂ）はその反対側面を示す。図７（Ａ）のように、ＳＩＭ２は長辺Ｌ１が２５ｍｍ、短辺Ｌ２が１５ｍｍ程度の基板２１からなるものである。厚みは、１．０ｍｍ以内で、通常は０．７６ｍｍの均一な薄板状のものである。接触端子板２２の背面基板中には、接触、非接触デュアルモードのＩＣモジュールが装着されている。矩形状ＳＩＭの一端隅角部に切り欠き２３を有するのは、ＳＩＭ２をＳＩＭリーダライタ１に装着する際の位置合わせを容易にするためのものである。
【００２７】
図７（Ｂ）のように、ＳＩＭ２の接触端子板２２とは反対側面には、顔写真加工２７やネームプリント２８、番号プリント２９を設けることができ、所有者の識別を容易にできると共に、ＳＩＭリーダライタ１の下側ケース部を透明にする場合にはＳＩＭを装着した状態で利用者を視覚的に識別することができる。ＳＩＭ２は、マルトス（商標）対応のものとすることで、電子マネーや電子チケット、社員証等の複数アプリケーションを搭載して使用することができる。
【００２８】
（本発明に係るＳＩＭリーダライタ）
本発明に係るＳＩＭリーダライタは、上記構成のＳＩＭリーダライタにおいて、さらに、電子チケットをバーコードに変換して、表示させることを特徴とする。本実施形態では、バーコードとして二次元バーコードを用いることとする。また、二次元バーコードとしても、公知の種々のものを使用することができるが、例えば、ＱＲコードを使用することができる。本発明に係るＳＩＭリーダライタでは、上記電子チケット２０２として、利用日付けや会場、開演時間、指定座席等のチケット情報を記録する。チケット情報としては、証明書を含む１０ＫＢ（キロバイト）程度のデータ量の大きいデータ読み取り用と、証明書を含まず、２ＫＢ程度のデータ量の小さい光学的読み取り用の２種類を用意する。制御用ＩＣチップ３のメモリには、チケット情報を二次元バーコードに変換するためのプログラムと、スイッチボタン４２の操作にしたがって、光学読み取り用のチケット情報を読み出すためのプログラムが記録されている。
【００２９】
利用者は、まず、チケットの購入を行う。これにより、ＳＩＭ２内に電子チケット２０２として、図８に示したような２種類のチケット情報が記録される。利用者は、チケット購入後、ＳＩＭリーダライタ１を携帯して、会場を訪れ会場の入場ゲートを確認する。
【００３０】
（入場ゲートにおける認証が光学的読み取り方式である場合）
入場ゲートにおける認証が二次元バーコードリーダ等の光学的読み取り方式を用いたものである場合について、ＳＩＭリーダライタの動作を図９のフローチャートに従って説明する。利用者は、スイッチボタン４１を操作して電源をオンにして（Ｓ１）、液晶ディスプレイ４にメニューを表示させる（Ｓ２）。さらに、利用者は、スイッチボタン４２を操作して、二次元バーコード表示を指示する（Ｓ３）。すると、制御用ＩＣチップ３のＣＰＵは、メモリに記録された光学読み取り用のチケット情報を読み出すためのプログラムに従って、ＳＩＭ２に電子チケット２０２として記録された光学読み取り用チケット情報を読み出す。さらに、ＣＰＵは、メモリに記録されたチケット情報を二次元バーコードに変換するためのプログラムに従って、読み出した光学読み取り用チケット情報を二次元バーコードに変換し、液晶ドライバ３２を操作して液晶ディスプレイ４に二次元バーコードを表示させる（Ｓ４）。表示させる際、ＣＰＵは、自身のクロックにより所定の時間（好ましくは、５秒程度）をカウントし、時間が来たら、液晶ドライバ３２に対して、メニュー画面に切り換える指示を行う（Ｓ５）。
【００３１】
入場ゲートにおいては、ＳＩＭリーダライタ１の液晶ディスプレイ４に表示された二次元バーコードを二次元バーコードリーダにより読み取る。読み取られた二次元バーコードは、二次元バーコードにより文字コードに変換された後、チケット情報として認識され、サーバに送信されて、チケットが使用済みであるかどうかが確認される。チケットが使用済みであれば、入場ゲートは開かない。チケットが使用済みでなければ、サーバからその旨の信号が入場ゲートに送信され、入場ゲートが開くことになる。二次元バーコードリーダにより二次元バーコードの読み取りが完了する前に、液晶ディスプレイ４の二次元バーコードの表示が消えてしまった場合には、利用者は、再度、スイッチボタン４２を操作して、二次元バーコード表示を指示し、液晶ディスプレイ４にチケット情報に対応した二次元バーコードを表示させる。
【００３２】
（入場ゲートにおける認証がデータ読み取り方式である場合）
入場ゲートにおける認証がデータ読み取り方式である場合、例えば、非接触方式でデータを読み取る方式である場合、利用者は、特に電源を入れる必要なく、ＳＩＭリーダライタ１を入場ゲートの所定の部分にかざす。すると、ＳＩＭ２に電子チケット２０２として記録されたデータ読み取り用チケット情報を読み出して、アンテナコイル１１を利用して、入場ゲートの受信部にデータ読み取り用チケット情報を送信する。入場ゲートが受信したデータ読み取り用チケット情報は、サーバに送信される。データ読み取り用チケット情報には、証明書データが付加されているので、サーバでは、この証明書データの認証も行うことになる。証明書が正しいものであると判断された場合には、チケットが使用済みであるかどうかが確認される。チケットが使用済みであれば、入場ゲートは開かない。チケットが使用済みでなければ、サーバからその旨の信号が入場ゲートに送信され、入場ゲートが開くことになる。
【００３３】
（チケット情報の形式）
上記の例では、図８に示したように電子チケット２０２として、データ読取り用チケット情報と光学的読取り用チケット情報の２種類を記録するようにしたが、どちらか一方のみを記録しておき、共通のチケット情報を利用して、アンテナコイル１１を介した非接触方式のデータ読取り、および二次元バーコードに変換して表示するようにしても良い。データ読取り用チケット情報と光学的読取り用チケット情報の違いは、図８にも示したように、証明書データの有無だけである。したがって、データ読取り用チケット情報だけを記録しておいた場合は、データ読取り用チケット情報に含まれる証明書データも二次元バーコードとして表示されることになるが、二次元バーコードに記録されたチケット情報の読取りは問題なく行うことができる。また、光学的読取り用チケット情報だけを記録しておいた場合は、非接触方式のデータ読取りの際、認証が行われないことになるが、チケット情報の読取りは可能となる。
【００３４】
（ＳＩＭリーダライタの形態の変形例）
上記実施形態では、ＵＳＢコネクタ２０を外部に突出させた形態としたが、ＵＳＢコネクタを突出させない形態とすることも可能である。ＵＳＢコネクタを突出させない形態の一例を図１０に示す。図１０において、図１、図２と同一のものについては、同一符号を付して説明を省略する。図１０の例では、ＵＳＢコネクタ２０は、外形のケースから窪んだ位置に設けられている。また、ボタン４１、４２に加えてボタン４３が設けられており、多様な機能の操作を容易にしている。
【００３５】
（異なるバーコード形式）
上記実施形態では、バーコードとして、二次元バーコードを利用した場合を例にとって説明したが、他の形式のバーコードであっても良い。例えば、最も普及している一次元バーコードリーダで読み取り可能なように、一次元バーコードを表示させるようにしても良い。
【図面の簡単な説明】
【００３６】
【図１】本発明のＳＩＭリーダライタのブロック構成を示す図である。
【図２】ＳＩＭリーダライタの外形を示す図である。
【図３】ＳＩＭの接触端子板面側斜視図である。
【図４】同平面図である。
【図５】ＳＩＭの接触端子板とは反対面側斜視図である。
【図６】同平面図である。
【図７】ＳＩＭを示す図である。
【図８】ＳＩＭ２内に記録された電子チケットを示す図である。
【図９】本発明のＳＩＭリーダライタの動作を示すフローチャートである。
【図１０】ＳＩＭリーダライタの外形の変形例を示す図である。
【符号の説明】
【００３７】
１・・・ＳＩＭリーダライタ
２・・・ＳＩＭ
３・・・制御用ＩＣチップ
４・・・液晶ディスプレイ
５・・・赤外線受発信部
７・・・バッテリ
８・・・リレー
１０・・・ＵＳＢ／ＩＳＯ７８１６変換ＩＣ
１１・・・アンテナコイル
１２・・・リーダライタ（Ｒ／Ｗ）端子板
１３・・・コンタクトピン
１４・・・ＬＥＤ表示
１５・・・挿入口
１６・・・段部
１７・・・キー取り付け穴
１８・・・上蓋部
１９・・・下側ケース部
２０・・・ＵＳＢコネクタ
２１・・・基板
２２・・・接触端子板
２３・・・切り欠き
２５・・・ＵＳＢポート
２７・・・顔写真加工
４１〜４３・・・スイッチボタン
【図１】
2006085391.tif 000003
【図２】
2006085391.tif 000004
【図３】
2006085391.tif 000005
【図４】
2006085391.tif 000006
【図５】
2006085391.tif 000007
【図６】
2006085391.tif 000008
【図７】
2006085391.tif 000009
【図８】
2006085391.tif 000010
【図９】
2006085391.tif 000011
【図１０】
2006085391.tif 000012